【手続補正書】
【提出日】平成28年3月10日(2016.3.10)
【手続補正１】
【補正対象書類名】特許請求の範囲
【補正対象項目名】請求項５
【補正方法】変更
【補正の内容】
【請求項５】
請求項１乃至４の何れかにおいて、前記外ケースは、前記地板よりも延出する先端縁部を備え、該先端縁部を、その内周面と地板の上側周面とを離間した状態で内方に傾斜状に折曲して傾斜周縁部を形成し、該傾斜周縁部によって地板を抜け止めすると共に、その内周面と地板とによって形成される＜形状空間域を、液状シール剤の流入域に構成してあることを特徴とする直動駆動装置のケーシング構造。
【手続補正２】
【補正対象書類名】明細書
【補正対象項目名】発明の名称
【補正方法】変更
【補正の内容】
【発明の名称】直動駆動装置のケーシング構造
【手続補正３】
【補正対象書類名】明細書
【補正対象項目名】０００９
【補正方法】変更
【補正の内容】
【０００９】
本発明における直動駆動装置のケーシング構造は、円筒蓋状の外ケース内に収容されたモータとギヤケースを、軸受ハウジングが取着された地板を介して密封する直動駆動装置でありながら、ギヤケースにモータを収容するモータ収容部が形成されているため、モータ収容部の内周面によってモータの外周面を、外ケースの内周面によってギヤ収容部側の外面を確りと被嵌保護した状態で組付け保持することができ、この状態でモータ収容部の開口部に、突設された結線ピンを凹状ブッシュに挿通して被装するだけで、モータケースの結線孔が覆われ、かつ開口部が塞がれて、凹溝部と共に連通する凹状溝をギヤケースに形成することができる。このため、外ケース内にギヤケースを収容する前工程で、凹状ブッシュから突出した結線ピンへの配線基板やコネクタを接続して凹状溝に配設することができ、かつ、リード線との結線作業が容易に行え、組み立て作業を簡素化することができる。しかも、この結線後に外ケースをギヤケースに被嵌するだけで、モータが外ケース底面に支持された状態でモータ収容部内に密封保持され、液状シール剤を流入するための流入路を形成することができると共に、モータ収容部によってカシメ圧接時の圧接力を受け止め支持することができる。
その結果、従来の如く、カシメ部位の外ケースとギヤケースとの周端縁を、外周に段差状に突出形成して、カシメ時に支持受けするリング状の受け部を設ける必要や、カシメ圧着時に介在されるゴムシートを用いる必要が一切なくなり、外ケースの内周面に対して液状シール剤が確りと接着固化することと相まって、ケーシング構造全体の剛性強度の向上と、モータの保持強度、密封度の向上とが同時に確保されて、軸受ハウジングの先端部をワーク側に連結支持した状態で、外部から振動を受けても、ワークへの作動不良を誘発する危惧を解消することができる。
【手続補正４】
【補正対象書類名】明細書
【補正対象項目名】００２０
【補正方法】変更
【補正の内容】
【００２０】
叙述の如く構成された本発明の実施例の形態において、いま、円筒蓋状の外ケース２内に、結線孔１１ａから突出する結線ピン１１ｂを有するモータ１１とギヤケース３を収容して、軸受ハウジング５が取着された地板４を挿着して密封するのであるが、本発明における直動駆動装置１のケーシング構造は、ギヤケース３を、減速ギヤ手段１２が配設されるギヤ収容部３１と、モータ１１が配設されるモータ収容部３２とを備えて円筒状に形成し、その任意幅の円弧面を開口して、ギヤ収容部３１に断面視凹状の凹溝部３１１を形成し、モータ収容部３２を断面視Ｃ字状として開口部３２１が形成されている。
そして、凹溝部３１１が面接する地板４の対応部位に、結線ピン１１ｂへ給電するリード線９を外部に引出するためのリード線引出し口４１を設けると共に、結線孔１１ａ部位に、この結線孔１１ａを覆い、かつ、開口部３２１を塞ぐよう凹状に形成させたゴム質性の凹状ブッシュ６を、結線ピン１１ｂを挿通突出せしめた状態で被装させ、溝部６１が凹溝部３１１と共に連通する凹状溝を形成するよう開口部３２１に配設し、外ケース２をギヤケース３に被嵌させた状態で、外ケース２の内周面部と凹状ブッシュ６と凹溝部３１１とによって、リード線引出し口４１から液状シール剤７を流入する流入路（流入孔７２）を形成すべく構成してある。
【手続補正５】
【補正対象書類名】明細書
【補正対象項目名】００２１
【補正方法】変更
【補正の内容】
【００２１】
この様に構成すると、円筒蓋状の外ケース２内に収容されたモータ１１とギヤケース３を、軸受ハウジング５が取着された地板４を介して密封する直動駆動装置１でありながら、ギヤケース３にモータ１１を収容するモータ収容部３２が一体形成されているため、モータ収容部３２の内周面によってモータ１１の外周面を、外ケース２の内周面によってギヤ収容部３１側の外面を確りと被嵌保護した状態で組付け保持することができ、この状態でモータ収容部３２の開口部３２１に、突設された結線ピン１１ｂを凹状ブッシュ６の結線ピン挿通部６１２に挿通して被装するだけで、モータケース１１３の結線孔１１ａが覆われ、かつ開口部３２１が塞がれて、溝部６１が凹溝部３１１と共に連通する凹状溝をギヤケース３に形成することができる。このため、外ケース２内にギヤケース３を収容する前工程で、凹状ブッシュ６から突出した結線ピン１１ｂへ配線基板９２やコネクタ９１を接続して、溝部６１と凹溝部３１１とからなる凹状溝内に配設することができ、かつ、リード線９との結線作業がモータ１１の近傍位置で容易に行え、組み立て作業を簡素化することができる。
【手続補正６】
【補正対象書類名】明細書
【補正対象項目名】００２４
【補正方法】変更
【補正の内容】
【００２４】
しかも、受け部６２は、外ケース２の周面部２１の内周面部と密接し底面部２２側（図３では下方）に傾斜して形成されているので、溝部６１を受け部６２側に拡開状に形成でき、結線ピン１１ｂへの配線基板９２の挿着作業や、ハンダ付けによる結線作業がし易くなり、受け部６２の傾斜面が、流入される液状シール剤７を配線基板９２側に向けて外ケース２の内周面側から充填することができ、気泡の発生を防止すると共に、確りと密着させることができる。
【手続補正７】
【補正対象書類名】明細書
【補正対象項目名】００２５
【補正方法】変更
【補正の内容】
【００２５】
また、凹状ブッシュ６と凹溝部３１１の底面には、それぞれの底面に跨って結線ピン１１ｂに接続された配線基板９２が装着されているので、溝部６１と凹溝部３１１との両側立上り面が、配線基板９２をセットする際の案内面として機能し、結線ピン１１ｂの配列（６本）に対応して設けられた配線基板９２の通し孔に、結線ピン１１ｂの先端を位置決めすることができ、曲げてしまうことなく容易に挿通させることができ、セット作業を容易に行うことができる。しかも、配線基板９２は、凹状ブッシュ６と凹溝部３１１の両底面に跨って密着した状態で配置されるので、溝部６１と凹溝部３１１とにより形成される凹状溝の給電部材配置領域としての機能を損なうことが無く、流入孔７２における流入路を確保した状態で、リード線９やコネクタ９１を凹状溝内に納めることができる。
【手続補正８】
【補正対象書類名】明細書
【補正対象項目名】００２６
【補正方法】変更
【補正の内容】
【００２６】
また、外ケース２は、地板４よりも延出する先端縁部を備え、該先端縁部を、その内周面と地板４の上側周面の周縁部位とを離間した状態で内方に傾斜状に折曲して傾斜周縁部２３を形成し、該傾斜周縁部２３によって地板４を抜け止めすると共に、傾斜周縁部２３の内周面と地板４とによって形成される＜形状空間域２３ａを、液状シール剤７の流入域に構成してある。
この様に構成すると、地板４の上面側に、傾斜周縁部２３が立ち上がり、液状シール剤７を流し込み充填する受け凹部７１を形成することができ、この受け凹部７１に液状シール剤７を流し込むだけで、受け凹部７１全域を、傾斜周縁部２３が立ち上がり幅分の肉厚な厚さ幅をもって接着固化した状態で、確実に密封することができる。従って、＜形状空間域２３ａ内に入り込んだ液状シール剤７によって、傾斜周縁部２３の内周面と地板４の上部周縁面とが確実に接着密封されるだけでなく、地板４に立設された軸受ハウジング５との接合周縁をも同時に接着密封することができる。
【手続補正９】
【補正対象書類名】図面
【補正対象項目名】図３
【補正方法】変更
【補正の内容】
【図３】
2014180184.tif 000001